(57)【特許請求の範囲】
【請求項１】
撮像手段が設けられた筐体本体と、表示手段が設けられ、前記筐体本体に対してヒンジ部を介して折り畳み自在とされるリッド部と、から構成される携帯端末装置であって、
前記撮像手段は前記筐体本体の平面部である背面に設けられ、
前記ヒンジ部は、前記筐体本体と一体に成形され、内部に透孔が穿たれた右側及び左側軸受部と、前記右側軸受部と左側軸受部の間に設けられる、内部に透孔が穿たれた中央軸受部とから構成され、前記透孔には軸が嵌挿され、  
前記中央軸受部は、前記右側軸受部と前記左側軸受部に対して回動可能とされ、
前記中央軸受部の略中央位置には、前記透孔と直交するようにＬ字の透孔が穿たれ、
前記Ｌ字状の透孔に対して回転可能な回転軸を構成するようにパイプが挿通され、前記パイプは前記リッド部の底面に固着され、
前記リッド部は、前記筐体本体に対し前記パイプを介して１８０°回転可能に枢着され、
前記リッド部を前記パイプを介して１８０度回転し、更に前記リッド部を前記ヒンジ部を介して前記筐体本体に折り畳んだときに、前記リッド部に設けられた前記表示手段の天地が反転される、携帯端末装置。
【発明の詳細な説明】
【０００１】
【発明の属する技術分野】
本発明は、ＰＤＡ（Personal Digital Assistants)や携帯用電話機等の携帯端末装置に係わり、特に表示手段を回動可能とし、筐体本体に撮像手段を配設した携帯端末装置に関する。
【０００２】
【従来の技術】
従来から、携帯端末装置を介して撮像カメラで撮像した画像をＥメール等を介して他の端末装置に伝送可能とした携帯端末装置が知られている。
【０００３】
図６は上述の携帯端末装置から他の端末装置へ撮像カメラで撮像した画像を伝送するための装置構成を示すものであり、図において、折り畳み可能とされた携帯用電話機１は筐体本体２とリッド部３とで構成される。
【０００４】
携帯用電話機１の筐体本体２の主面には各種操作キー群としてのテンキー４やＥメールメニューをワンタッチで切換え可能なメールキー５等が配設され、リッド部３の主面にはＬＣＤ（液晶表示部）等の表示装置６及びアンテナ７を有している。
【０００５】
筐体本体２とリッド部３はヒンジ８を介して折り畳むことで小型化が図られている。
【０００６】
１０は他の端末装置へ送信したい画像等のデータを撮像可能な撮像カメラ１１、ＬＣＤ等の表示装置１２及び送信、受信機能等を有する撮像筐体であり、この撮像筐体１０と一体化された接続コード９を携帯用電話機１に接続することで、撮像カメラ１１で外出時に撮像した画像をＥメールで他の端末装置に簡単に伝送可能と成されている。
【０００７】
【発明が解決しようとする課題】
上述の従来の構成で説明した、携帯端末装置では携帯用電話機１の他に撮像筐体１０を持ち歩かねばならず携帯用電話機だけを小型化しても意味がなくなる課題がある。
【０００８】
又、撮像筐体１０の撮像カメラ１１を被写体に向けて撮像する場合、撮像筐体１０の表示装置１２側に撮像カメラ１１の開口があるため、表示装置１２の画面モニタを視ながら自分自身の顔を写す様な自分撮りの場合はよいが、撮像カメラ１１を外側に向けた場合には表示装置１２の画面をモニタすることが出来なくなる課題を有する。
【０００９】
本発明は叙上の課題を解決するために成されたもので、撮像筐体を持ち歩くことなく、携帯用電話機の小型化が図れ、且つ自分撮り或は外部被写体撮像時にも表示装置の画面のモニタが可能な携帯用電話機（携帯端末装置）を提供するものである。
【００１０】
【課題を解決するための手段】
上記課題を解決し、本発明の目的を達成するため、また、本発明の携帯端末装置は、上記第一の携帯端末装置の構成のうち、特にヒンジ部の構成を限定している。すなわち、筐体本体に設けられたヒンジ部は、筐体本体と一体に成形され、内部に透孔が穿たれた右側及び左側軸受部と、この右側軸受部と左側軸受部の間に設けられる、内部に透孔が穿たれた中央軸受部とから構成され、前記透孔には軸が嵌挿されている。そして、中央軸受部は、右側軸受部と左側軸受部に対して回動可能とされ、この中央軸受部の略中央位置には、記透孔と直交するようにＬ字の透孔が穿たれている。更に、上述のＬ字状の透孔に対して回転可能な回転軸を構成するようにパイプが挿通され、このパイプはリッド部の底面に固着されている。そして、リッド部は、筐体本体に対しパイプを介して１８０°回転可能に枢着されていて、リッド部をパイプを介して１８０度回転し、更にリッド部をヒンジ部を介して筐体本体に折り畳んだときに、リッド部に設けられた表示手段の天地が反転されるようになっている。
【００１３】
本発明の叙上の携帯端末装置によれば小型軽量化が図れ、撮像手段の撮像時に使い勝手の良いものが得られる。
【００１４】
【発明の実施の形態】
以下、本発明の携帯端末装置の一形態例として、携帯用電話機を図１乃至図５について詳記する。
【００１５】
図１（Ａ）乃至図１（Ｃ）は本発明の携帯用電話機の背面図及び側面図並びに正面図を示すもので、図６との対応部分には同一符号を付している。
【００１６】
図１に於いて、図１（Ａ）は本発明の携帯端末装置のリッド部３を開いた状態を示す背面図、図１（Ｂ）は同様の側面図、図１（Ｃ）は同様の正面図を示している。
【００１７】
図１（Ａ）乃至図１（Ｃ）に於いて、筐体本体２内には携帯用電話機１として必要な送受信回路やＥメールやインターネット交信、映像信号の配信等を可能とした各回路を有すると共に正面図に示す様に上記各回路の機能を操作可能な操作部となるテンキー４、メールキー５、送受話器１３，１５等を有し、筐体本体２の背面側には背面図に示す様にアンテナ７及び筐体本体２の背面側の上部のヒンジ８近傍に撮像カメラ１１の開口部が設けられている。
【００１８】
図１（Ｂ）の側面図に示す様に、筐体本体２の左側面には表示装置６の表示画面上の各種アプリケーション機能等を選択するためのジョグダイヤル１４が設けられてている。
【００１９】
リッド部３は筐体本体２に対し、ヒンジ部８を介して折り畳み自在と成され、ＬＣＤ等の表示装置６がリッド部３の内側に設けられている。従って、通常の状態でリッド部３を折り畳んだ状態は図２（Ｂ）に示す様に表示装置６はリッド部３に内蔵されて小型化される。
【００２０】
本例の携帯用電話機のヒンジ８の分解斜視図を図３に示す。ヒンジ８は筐体本体２と合成樹脂等で一体に成形した２つの左右軸受部８ａ及び８ｂ間に中央軸受部８ｃが設けられ、これら各軸受部８ａ，８ｂ，８ｃに穿たれた透孔８ｄ内に左右の軸８ｅ及び８ｆが嵌挿され、中央軸受部８ｃは左右軸受部８ａ及び８ｂに対し、矢印Ａ−Ａ′で示す様に左右の軸８ａ及び８ｆに対し回動可能と成されている。
【００２１】
中央軸受部８ｃの略中央位置には透孔８ｄと直交する様にＬ字の透孔８ｇが穿たれ、このＬ字状の上側の透孔８ｇに遊嵌する様にパイプ８ｈを挿通し、このパイプ８ｈは透孔８ｇに対し、矢印Ｂ−Ｂ′方向に回動可能となる様に構成させる。この場合はパイプ８ｈの先端はリッド部３の底面３ａに固着させる。
【００２２】
又他の方法としては中央軸受部８ｃにパイプ８ｈを固着する様に立設し、リッド部３の底部３ａに穿った透孔８ｊに挿通したパイプ８ｈの先端部をリッド部３に対し矢印Ｂ−Ｂ′方向に回動可能となる様に枢着させる。
【００２３】
この様にＢ−Ｂ′方向に回動可能に枢着させる場合、図３には示していないが透孔８ｇ又は８ｊに所定角度毎に埋め込んだボールに対し、クリックモーション的に回動する様に構成させ、リッド部３は筐体本体２に対し１８０°回転可能な様に構成させてある。
【００２４】
筐体本体２側からリッド部３側に接続するワイヤ１６は中央軸受部８ｃの透孔８ｇとパイプ８ｈを介して連絡される。
【００２５】
上述の如きヒンジ８によって、リッド部３をパイプ８ｈを中心に反時計方向に回動させつつある状態を図２（Ｃ）に示し、完全に１８０°回転させリッド部３の内側に設けた表示装置６を筐体本体２の正面側に持ち来して、リッド部３を折り畳んだ状態を図２（Ａ）に示している。
【００２６】
図２（Ａ）の場合、表示装置６の画面１７の天地は図２（Ｃ）の場合に比べて反転するが、画面１７は電気的に天地を反転させて、図２（Ａ）の使用状態で正常な画面１７が視える様に成されている。
【００２７】
図５は本発明の携帯端末装置である上述の携帯電話機１を用いて、狭帯域又は広帯域ＩＳＤＮのネットワーク等の伝送路２３を介して映像配信を行うテレビ電話のモデルを示す。
【００２８】
筐体本体２の背面側に配設されたＣＣＤ等の撮像カメラ１１からの映像入力は動画像或は静止画像コーデック部１８でコーデックされ、伝送制御部２０と回線インタフェース２１を介して伝送路２３に有線或はアンテナ７を介して無線で伝送される。この場合、表示装置６には配信しようとする映像が画面１７として映出されている。又、送信されるテレビ電話機２４側から送信される映像画面も、この表示装置６に映出される。
【００２９】
送話器１３からの音声信号も音声コーデック部１９でコーデックされ、伝送制御部２０と回線インタフェース２１を介して伝送路２３に伝送される。システム制御部２２は画像コーデック部１８及び音声コーデック部１９を制御し、伝送制御部２０はシステム制御部２２を制御している。システム制御部２２はテンキー等の操作部４を介して各種情報を入力する。
【００３０】
伝送路２３がインターネットの場合ではＩＳＤＮの様なネットワークの場合の様に伝送帯域が保証されてていず且つ、伝送速度が低速（１０〜１２０ｋｂｐｓ）であり、ジッタを有するため、映像及び音声信号は数百分の１に圧縮符号化した後に１本のストリームに多重化し、帯域変動を補償するためにバッファ等を設けて帯域変動を吸収して映像配信を行なっている。
【００３１】
上述の構成の動作を以下に説明する。今、携帯用電話機１によって、自分自身の顔等を伝送路２３を介して、相手側のテレビ電話機２４等の端末装置に映像及び音声の伝送を行なう場合は図１（Ｃ）に示すリッド部３を１８０°回転させ、リッド部３の表示装置６側を筐体本体２の背面側に向けて、図４（Ａ）に示す様に筐体本体２の撮像カメラ１１の開口部及びリッド部３の表示装置６を自分自身に向けて撮像することが出来るので、表示装置６の画面１７上の自分自身の顔を視て、モニタしながら撮像を容易に行なう事が出来る。
【００３２】
又、図１（Ａ）の状態からリッド部３を正面側に折り畳んで図２（Ａ）に示す状態では背面側に設けた撮像カメラ１１の開口を外部の被写体に向けて、撮像する場合、撮像しようとする画面１７を表示装置６によってモニタしながら撮像可能となる。
【００３３】
更に、図１（Ｃ）に示す様にリッド部３を開いた状態でも外部被写体を筐体本体２の背面に配設した撮像カメラ１１を介して撮像することが出来て、表示装置６を被写体のモニタとすることが可能であるが、この場合は携帯用電話機１の通話、画像伝送、Ｅメール等の各種操作時のモニタ画面として利用することになる。
【００３４】
上述の構成では、撮像カメラ１１を筐体本体２の背面上部に設けた場合を説明したが、撮像カメラ１１の取付位置は背面上部に限定されるものではなく、背面位置に適宜配設可能である。
【００３５】
更に、図４（Ｂ）に示す様に、筐体本体２の側面の適宜位置に撮像カメラ１１の開口部を配することで、自分自身を撮像する場合や、外部被写体を撮像する場合にリッド部３を回転させて表示装置をモニタしながら両方の撮像に適した携帯用電話機１を提供可能となる。
【００３６】
【発明の効果】
本発明の携帯用電話機の様な携帯端末装置に依れば、撮像カメラを筐体本体に固定した撮像カメラに対し、リッド部側に配設した表示装置を折り畳み及び回動自在に構成させたので、撮像カメラによる自分自身の撮像及び外部被写体像の撮像に応じてリッド部を回動或は折り畳むことで、撮像に適した状態で表示装置によってモニタが可能となり、且つ小型化が図れて携帯に便利な携帯端末装置を提供可能となる。
【図面の簡単な説明】
【図１】本発明の携帯端末装置の背面及び側面並びに正面図である。
【図２】本発明の携帯端末装置のリッド部の回動状態説明図である。
【図３】本発明の携帯端末装置のヒンジの分解斜視図である。
【図４】本発明の携帯端末装置の使用説明図である。
【図５】本発明の携帯端末装置による映像配信モデル説明図である。
【図６】従来の携帯端末装置の構成図である。
【符号の説明】
１‥‥携帯用電話機、２‥‥筐体本体、３‥‥リッド部、４‥‥操作部（テンキー）、５‥‥メールキー、６‥‥表示装置、７‥‥アンテナ、８‥‥ヒンジ
【図１】
0004385490.tif 000002
【図２】
0004385490.tif 000003
【図３】
0004385490.tif 000004
【図４】
0004385490.tif 000005
【図５】
0004385490.tif 000006
【図６】
0004385490.tif 000007